(57)【要約】【課題】所望のタイミングでのみ、真贋判定を行うことが可能な雑貨物品を提供する。【解決手段】容器１は、受電装置１１と、認証用アクチュエータ１２と、収容部１３とを含む。受電装置１１は、容器１が２次元通信シート上に配置されたとき、２次元通信シートから電力を受電し、その受電した電力を認証用アクチュエータ１２へ供給する。認証用アクチュエータ１２は、収容部１３の外表面に配置された発光素子１２１を含む。認証用アクチュエータ１２は、受電装置１１から電力を受け、その受けた電力によって起動される。認証用アクチュエータ１２は、電力が供給されると、変調された光を発光素子１２１から発し、および／または変調された音波を発する。収容部１３は、コップまたは瓶からなる。【選択図】図２
2018181028.tif 000002
【特許請求の範囲】
【請求項１】
真性性が求められる雑貨物品であって、
本体部と、
前記本体部に取り付けられた受電装置と、
前記本体部に取り付けられ、前記受電装置が受電した電力によって起動される認証用アクチュエータとを備え、
前記認証用アクチュエータは、前記受電装置が受電した時に、前記雑貨物品の識別情報に基づいて変調された光および音波の少なくとも１つ、または前記雑貨物品の識別情報を含むビーコンを発する、雑貨物品。
【請求項２】
前記本体部は、コップまたは瓶または玩具である、請求項１に記載の雑貨物品。
【請求項３】
前記コップは、酒を収容し、
前記瓶は、化粧用材料を収容する、請求項２に記載の雑貨物品。
【請求項４】
請求項１から請求項３のいずれかに記載の雑貨物品の前記認証用アクチュエータが発した前記変調された光、前記変調された音波および前記ビーコンの少なくとも１つに基づいて認証用データを取得する取得手段と、
前記取得手段によって取得された認証用データに基づいて前記雑貨物品の真贋判定を行う認証手段とを備え、
前記認証用データは、前記変調された光を撮影した画像データ、前記変調された音波を録音した音声データ、および前記ビーコンに含まれる前記雑貨物品の識別情報の少なくとも１つからなる、端末装置。
【請求項５】
請求項１から請求項３のいずれかに記載の雑貨物品の前記認証用アクチュエータが発した前記変調された光、前記変調された音波および前記ビーコンの少なくとも１つに基づいて認証用データを取得する取得手段と、
拡張現実の動作内容をクラウドサーバから受信する受信手段と、
前記取得手段によって取得された認証用データをクラウドサーバへ送信する送信手段と、
前記受信手段によって受信された拡張現実の動作内容を実行する実行手段とを備え、
前記認証用データは、前記変調された光を撮影した画像データ、前記変調された音波を録音した音声データ、および前記ビーコンに含まれる前記雑貨物品の識別情報の少なくとも１つからなる、端末装置。
【請求項６】
請求項１から請求項３のいずれかに記載の雑貨物品の前記認証用アクチュエータが発した前記変調された光、前記変調された音波および前記ビーコンの少なくとも１つに基づいて取得された認証用データを端末装置から受信する受信手段と、
前記受信手段によって受信された認証用データに基づいて前記容器の真贋判定を行う認証手段とを備え、
前記認証用データは、前記変調された光を撮影した画像データ、前記変調された音波を録音した音声データ、および前記ビーコンに含まれる前記雑貨物品の識別情報の少なくとも１つからなる、認証装置。
【請求項７】
請求項１から請求項３のいずれかに記載の雑貨物品と、
前記雑貨物品の前記受電装置に電力を供給する給電装置とを備える認証システム。
【請求項８】
前記給電装置は、
前記雑貨物品の前記受電装置を載置する２次元通信シートと、
前記２次元通信シートに電力を供給する発振器とを含む、請求項７に記載の認証システム。
【請求項９】
請求項６に記載の認証装置を更に備える、請求項７または請求項８に記載の認証システム。
【発明の詳細な説明】
【技術分野】
【０００１】
この発明は、雑貨物品、端末装置、認証装置、およびその雑貨物品を備える認証システムに関する。
【背景技術】
【０００２】
従来、光学インクを用いて偽造防止効果をより向上した真贋判定媒体が知られている（特許文献１）。
【０００３】
この真贋判定媒体は、基材と、基材上に光学インクがベタ印刷された蛍光インクベタ印刷部と、蛍光インクベタ印刷部上から識別情報がレーザ加工された識別番号レーザ加工部とを備える。
【先行技術文献】
【特許文献】
【０００４】
【特許文献１】特開２０１５−１９９２４０号公報
【発明の概要】
【発明が解決しようとする課題】
【０００５】
しかし、特許文献１に記載された真贋判定媒体は、識別情報がレーザ加工された識別番号レーザ加工部を備えるので、常時、真贋判定が行われ、所望のタイミングでのみ、真贋判定を行うことが困難である。
【０００６】
この発明の実施の形態によれば、所望のタイミングでのみ、真贋判定を行うことが可能な雑貨物品を提供する。
【０００７】
また、この発明の実施の形態によれば、所望のタイミングでのみ、真贋判定を行う端末装置を提供する。
【０００８】
更に、この発明の実施の形態によれば、所望のタイミングでのみ、真贋判定を行う認証装置を提供する。
【０００９】
更に、この発明の実施の形態によれば、所望のタイミングでのみ、真贋判定を行うことが可能な容器を備える認証システムを提供する。
【課題を解決するための手段】
【００１０】
（構成１）
この発明の実施の形態によれば、雑貨物品は、真性性が求められる雑貨物品であって、本体部と、受電装置と、認証用アクチュエータとを備える。受電装置は、本体部に取り付けられる。認証用アクチュエータは、本体部に取り付けられ、受電装置が受電した電力によって起動される。そして、認証用アクチュエータは、受電装置が受電した時に、雑貨物品の識別情報に基づいて変調された光および音波の少なくとも１つ、または雑貨物品の識別情報を含むビーコンを発する。
【００１１】
（構成２）
構成１において、収容部は、コップまたは瓶または玩具である。
【００１２】
（構成３）
構成２において、コップは、酒を収容し、瓶は、化粧用材料を収容する。
【００１３】
（構成４）
また、この発明の実施の形態によれば、端末装置は、取得手段と、認証手段とを備える。取得手段は、構成１から構成３のいずれかに記載の雑貨物品の認証用アクチュエータが発した変調された光、変調された音波およびビーコンの少なくとも１つに基づいて認証用データを取得する。認証手段は、取得手段によって取得された認証用データに基づいて雑貨物品の真贋判定を行う。そして、認証用データは、変調された光を撮影した画像データ、変調された音波を録音した音声データ、およびビーコンに含まれる雑貨物品の識別情報の少なくとも１つからなる。
【００１４】
（構成５）
更に、この発明の実施の形態によれば、端末装置は、取得手段と、受信手段と、送信手段と、実行手段とを備える。取得手段は、構成１から構成３のいずれかに記載の雑貨物品の認証用アクチュエータが発した変調された光、変調された音波およびビーコンの少なくとも１つに基づいて認証用データを取得する。受信手段は、拡張現実の動作内容をクラウドサーバから受信する。送信手段は、取得手段によって取得された認証用データをクラウドサーバへ送信する。実行手段は、受信手段によって受信された拡張現実の動作内容を実行する。そして、認証用データは、変調された光を撮影した画像データ、変調された音波を録音した音声データ、およびビーコンに含まれる雑貨物品の識別情報の少なくとも１つからなる。
【００１５】
（構成６）
更に、この発明の実施の形態によれば、認証装置は、受信手段と、認証手段とを備える。受信手段は、構成１から構成３のいずれかに記載の雑貨物品の認証用アクチュエータが発した変調された光、変調された音波およびビーコンの少なくとも１つに基づいて取得された認証用データを端末装置から受信する。認証手段は、受信手段によって受信された認証用データに基づいて容器の真贋判定を行う。そして、認証用データは、変調された光を撮影した画像データ、変調された音波を録音した音声データ、およびビーコンに含まれる雑貨物品の識別情報の少なくとも１つからなる。
【００１６】
（構成７）
更に、この発明の実施の形態によれば、認証システムは、雑貨物品と、給電装置とを備える。雑貨物品は、構成１から構成３のいずれかに記載の雑貨物品である。給電装置は、容器の受電装置に電力を供給する。
【００１７】
（構成８）
構成７において、給電装置は、２次元通信シートと発振器とを含む。２次元通信シートは、雑貨物品の受電装置を載置する。発振器は、２次元通信シートに電力を供給する。
【００１８】
（構成９）
構成７または構成８において、認証システムは、構成６に記載の認証装置を更に備える。
【発明の効果】
【００１９】
所望のタイミングでのみ、真贋判定を行うことができる。
【図面の簡単な説明】
【００２０】
【図１】この発明の実施の形態１による認証システムの概略図である。
【図２】図１に示す容器の概略図である。
【図３】図２に示す認証用アクチュエータの概略図である。
【図４】図１に示す２次元通信シートの平面図である。
【図５】図４に示す線Ｖ−Ｖにおける２次元通信シートの断面図である。
【図６】図１に示す端末装置の概略図である。
【図７】図１に示す認証システムの動作を説明するためのフローチャートである。
【図８】実施の形態２による認証システムの概略図である。
【図９】図８に示す端末装置の概略図である。
【図１０】図８に示すサーバの概略図である。
【図１１】図８に示す認証システムの動作を説明するためのフローチャートである。
【図１２】実施の形態３による認証システムの概略図である。
【図１３】図１２に示す容器に含まれる認証用アクチュエータの概略図である。
【図１４】図１２に示す端末装置の概略図である。
【図１５】図１２に示すサーバの概略図である。
【図１６】所有者ＩＤと物品ＩＤとの関係を示す図である。
【図１７】物品ＩＤと、所有者ＩＤと、受信ＩＤと、拡張現実の動作内容との関係を示す図である。
【図１８】ユーザＩＤと、ユーザパスワードとの関係を示す図である。
【図１９】図１２に示す認証システムの動作を説明するためのフローチャートである。
【発明を実施するための形態】
【００２１】
本発明の実施の形態について図面を参照しながら詳細に説明する。なお、図中同一または相当部分には同一符号を付してその説明は繰返さない。
【００２２】
［実施の形態１］
図１は、この発明の実施の形態１による認証システムの概略図である。図１を参照して、この発明の実施の形態１による認証システム１０は、容器１と、給電装置２と、端末装置３とを備える。
【００２３】
給電装置２は、２次元通信シート２１と、発振器２２とを含む。
【００２４】
容器１は、２次元通信シート２１上に配置されると、２次元通信シート２１を介して電力を受け、その受けた電力によって認証用データを発する。
【００２５】
２次元通信シート２１は、ケーブル２３を介して発振器２２と接続される。そして、２次元通信ツーと２１は、発振器２２から電力を受けると、その受けた電力を２次元通信シート２１内で伝搬させ、電力を容器１に供給する。
【００２６】
発振器２２は、所定の周波数を有する電力を発振し、その発振した電力をケーブル２３を介して２次元通信シート２１へ供給する。
【００２７】
端末装置３は、例えば、スマートフォンである。端末装置３は、容器１が発した認証用データを撮影および録音し、その撮影および録音した認証用データに基づいて、後述する方法によって容器１の真贋を判定する。
【００２８】
図２は、図１に示す容器１の概略図である。図２を参照して、容器１は、受電装置１１と、認証用アクチュエータ１２と、収容部１３とを含む。
【００２９】
受電装置１１は、容器１が２次元通信シート２１上に配置されたとき、２次元通信シート２１に接し、２次元通信シート２１から電力を受電する。そして、受電装置１１は、その受電した電力を認証用アクチュエータ１２へ供給する。
【００３０】
認証用アクチュエータ１２は、発光素子１２１を含む。発光素子１２１は、例えば、ＬＥＤ（Ｌｉｇｈｔ  Ｅｍｉｓｓｉｏｎ  Ｄｅｖｉｃｅ）であり、収容部１３の外表面に配置される。認証用アクチュエータ１２は、受電装置１１から電力を受け、その受けた電力によって起動される。
【００３１】
認証用アクチュエータ１２は、起動されると、容器１の識別情報に基づいて変調された光を発光素子１２１から発し、および／または容器１の識別情報に基づいて変調された音波を発する。ここで、変調された光および変調された音波は、容器１の識別情報を表す。
【００３２】
収容部１３は、例えば、コップからなり、酒（日本酒および洋酒等）、ジュースおよびお茶等の飲み物を収容する。また、収容部１３は、例えば、瓶からなり、化粧用材料を収容する。
【００３３】
図３は、図２に示す認証用アクチュエータ１２の概略図である。図３を参照して、認証用アクチュエータ１２は、発光素子１２１と、制御部１２２と、記憶部１２３と、電流検出部１２４と、蓄電部１２５と、再生部１２６と、スピーカ１２７とを含む。
【００３４】
発光素子１２１、制御部１２２、記憶部１２３、再生部１２６およびスピーカ１２７は、蓄電部１２５からの電力によって動作する。
【００３５】
発光素子１２１は、制御部１２２からの制御によって、容器１の識別情報に基づいて変調された光を発する。
【００３６】
制御部１２２は、電流検出部１２４によって検出された電流を受け、その受けた電流に基づいて、認証用アクチュエータ１２が受電装置１１から電力を受けているか否かを判定する。
【００３７】
制御部１２２は、電流検出部１２４から受けた電流が零よりも大きいとき、認証用アクチュエータ１２が受電装置１１から電力を受けていると判定し、以下の制御を行う。
【００３８】
制御部１２２は、容器１の識別情報に基づいて変調された光を発するように発光素子１２１を制御する。即ち、制御部１２２は、容器１の識別情報に基づいてオン／オフを繰り返すように発光素子１２１を制御する。
【００３９】
また、制御部１２２は、変調された音波（例えば、メロディー）のデータである音声データを記憶部１２３から読み出し、その読み出した音声データを再生部１２６へ出力する。
【００４０】
一方、制御部１２２は、流検出部１２４から受けた電流が零以下であるとき、認証用アクチュエータ１２が受電装置１１から電力を受けていないと判定し、認証用アクチュエータ１２の動作を停止させる。
【００４１】
記憶部１２３は、音声データを記憶する。電流検出部１２４は、受電装置１１から認証用アクチュエータ１２へ流れる電流を検出し、その検出した電流を制御部１２２へ出力する。
【００４２】
蓄電部１２５は、電流検出部１２４を介して受電装置１１から電力を受け、その受けた電力を蓄電するとともに、その蓄電した電力を発光素子１２１、制御部１２２、記憶部１２３、再生部１２６およびスピーカ１２７へ供給する。
【００４３】
再生部１２６は、制御部１２２から音声データを受け、その受けた音声データを再生してスピーカ１２７へ出力する。
【００４４】
スピーカ１２７は、再生部１２６によって再生された音声データを増幅して外部へ発する。
【００４５】
図４は、図１に示す２次元通信シート２１の平面図である。図５は、図４に示す線Ｖ−Ｖにおける２次元通信シート２１の断面図である。
【００４６】
図４および図５を参照して、２次元通信シート２１は、誘電体層２１１と、導体２１２，２１３とを備える。
【００４７】
誘電体層２１１は、概略的にシート形状を有し、矩形の平面形状を有する。誘電体層２１１の厚みは、好ましくは、４ｍｍ以上６ｍｍ以下であり、より好ましくは、５ｍｍである。この５ｍｍの厚みは、特に、２．４５ＧＨｚ帯の入出力効率を改善するのに好ましい厚みである。
【００４８】
誘電体層２１１は、例えば、発泡ポリエチレン（比誘電率が２．３である。）またはゴム（比誘電率が２．２〜８．０である。）からなる。
【００４９】
誘電体層２１１は、発泡ポリエチレンおよびゴムに限らず、誘電体であれば、どのようなものであってもよい。
【００５０】
なお、誘電体層２１１の比誘電率によって、誘電体層２１１の好ましい厚みも変わる。
【００５１】
導体２１２は、例えば、金属からなり、メッシュ形状を有する。そして、導体２１２は、誘電体層２１１の一方の面に配置される。
【００５２】
導体２１２は、誘電体層２１１の面内方向（Ｘ軸方向およびＹ軸方向）において、所望の間隔を隔てて配置される（図５参照）。開口部２１２Ａは、導体２１２によって囲まれることにより形成され、例えば、正方形の平面形状を有する。そして、複数の開口部２１２Ａは、２次元通信シート２１の外界における電磁波長よりも短い間隔で配置される。
【００５３】
導体２１３は、例えば、金属からなり、誘電体層２１１の他方の面（導体２１２が配置された面と反対面）を覆うように配置される。
【００５４】
メッシュ形状を有する導体部２１２は、外界とシート状の誘電体層２１１との相互電磁結合を弱める働きをするので、外界と誘電体層２１１との電磁結合が十分に弱いと仮定すると、シート状の誘電体層２１１の内部では、電磁波は、１／（με）１／２で伝搬する。この場合、μは、誘電体層２１１の透磁率であり、εは、誘電体層２１１の誘電率である。
【００５５】
開口部２１２Ａは、２次元通信シート２１の外界における電磁波長よりも短い間隔で配置されているので、各開口部２１２Ａから漏れ出すエバネッセント波も、電磁波長よりも短い空間周期で電磁波位相が変化し、遠方まで伝搬する波動とはならない。
【００５６】
この場合の減衰係数は、ｅｘｐ（−（ε／ε０−１）１／２（ω／ｃ）ｚ）となる。ここで、ε０は、外界の誘電率であり、ωは、信号の角周波数であり、ｃは、外界における光速であり、ｚは、誘電体層２１１の導体２１２が形成された面からの距離である。
【００５７】
したがって、εがそれほど大きくなくても、誘電体層２１１の薄い厚みに対して、エバネッセント波の染み出し領域を波長程度まで小さくすることができる。
【００５８】
このように、２次元通信シート２１は、電磁波を１／（με）１／２で伝搬させるとともに、その一主面（導体２１２が形成された面）からエバネッセント波を染み出させる。
【００５９】
従って、発振器２３から出力された高周波電力（例えば、２．４５ＧＨｚ帯の高周波電力）は、２次元通信シート２１の誘電体層２１１中をＸ方向およびＹ方向に伝搬する。そして、容器１の受電装置１１は、カプラを備えており、カプラが２次元通信シート２１の一主面（導体２１２が形成された面）に接するように容器１を２次元通信シート２１上に配置すると、容器１の受電装置１１は、カプラによって、２次元通信シート２１の一主面（導体２１２が形成された面）から染み出すエバネッセント波を検出することにより、高周波電力を受電する。
【００６０】
図６は、図１に示す端末装置３の概略図である。図６を参照して、端末装置３は、撮影部３１と、録音部３２と、認証部３３と、表示部３４とを含む。
【００６１】
撮影部３１は、容器１の認証用アクチュエータ１２が発する、変調された光を撮影し、その撮影した画像データ（静止画または動画）を認証部３３へ出力する。
【００６２】
録音部３２は、容器１の認証用アクチュエータ１２が発する、変調された音波を録音し、その録音した音声データを認証部３３へ出力する。
【００６３】
認証部３３は、参照用画像データと、参照用音声データとを予め保持する。認証部３３は、画像データを撮影部３１から受け、音声データを録音部３２から受ける。そして、認証部３３は、画像データを参照用画像データと比較し、画像データが参照用画像データに一致するか否かを判定する。
【００６４】
また、認証部３３は、音声データを参照用音声データと比較し、音声データが参照用音声データに一致するか否かを判定する。
【００６５】
認証部３３は、画像データが参照用画像データに一致すると判定し、かつ、音声データが参照用音声データに一致すると判定したとき、容器１が真性の容器であると認証する。そして、認証部３３は、容器１が真性の容器であると認証すると、容器１が真性の容器品であることを認証したことを示す認証通知を生成して表示部３４へ出力する。
【００６６】
一方、認証部３３は、像データが参照用画像データに一致すること、および音声データが参照用音声データに一致することの少なくとも１つが成立しないとき、容器１が真性の容器であると認証しない。
【００６７】
表示部３４は、認証部３３から認証通知を受け、その受けた認証通知を表示する。これによって、端末装置３のユーザは、容器１が真性の容器であることを知ることができる。
【００６８】
図７は、図１に示す認証システム１０の動作を説明するためのフローチャートである。図７を参照して、認証システム１０の動作が開始されると、給電装置２は、発振器２２からの電力を２次元通信シート２１内で伝搬させる（ステップＳ１）。
【００６９】
そして、容器１は、容器１が給電装置２から電力を受けたか否かを判定する（ステップＳ２）。
【００７０】
より具体的には、容器１において、認証用アクチュエータ１２の制御部１２２は、電流検出部１２４から受けた電流が零よりも大きいか否かを判定することによって容器１が給電装置２から電力を受けたか否かを判定する。
【００７１】
ステップＳ２において、容器１が給電装置２から電力を受けたと判定されたとき、容器１は、上述した方法によって、変調された光および変調された音波を発する（ステップＳ３）。
【００７２】
そうすると、端末装置３において、撮影部３１は、変調された光を撮影し、録音部３２は、変調された音波を録音する（ステップＳ４）。
【００７３】
そして、撮影部３１は、画像データを認証部３３へ出力し、録音部３２は、音声データを認証部３３へ出力する。
【００７４】
認証部３３は、撮影部３１から受けた画像データが参照用画像データに一致するか否かを判定する（ステップＳ５）。
【００７５】
ステップＳ５において、画像データが参照用画像データに一致すると判定されたとき、認証部３３は、録音部３２から受けた音声データが参照用音声データに一致するか否かを更に判定する（ステップＳ６）。
【００７６】
ステップＳ６において、音声データが参照用音声データに一致すると判定されたとき、認証部３３は、容器１が真性の容器であることを認証し（ステップＳ７）、認証通知を生成して表示部３４へ出力する。表示部３４は、認証通知を認証部３３から受けると、その受けた認証通知を表示する（ステップＳ８）。
【００７７】
一方、ステップＳ５において、画像データが参照用画像データに一致しないと判定されたとき、またはステップＳ６において、音声データが参照用音声データに一致しないと判定されたとき、認証部３３は、容器１が真性の容器であることを認証しない（ステップＳ９）。
【００７８】
そして、ステップＳ２において、容器１が給電装置２から電力を受けていないと判定されたとき、またはステップＳ８の後、またはステップＳ９の後、認証システム１０の動作が終了する。
【００７９】
このように、容器１の認証用アクチュエータ１２は、給電装置２から電力を受けたとき、変調された光および変調された音波を発し（ステップＳ２，Ｓ３参照）、端末装置３は、変調された光を撮影し、変調された音波を録音し（ステップＳ４参照）、その撮影した画像データおよび録音した音声データがそれぞれ参照用画像データおよび参照用音声データに一致するとき、容器１が真性の容器であることを認証する（ステップＳ５〜Ｓ７参照）。
【００８０】
従って、所望のタイミングでのみ、容器１の真贋判定を行うことができる。
【００８１】
上記においては、認証用アクチュエータ１２は、変調された光および変調された音波を発すると説明したが、実施の形態１においては、これに限らず、認証用アクチュエータ１２は、変調された光のみを発してもよく、変調された音波のみを発してもよく、一般的には、変調された光および／または変調された音波を発してもよい。
【００８２】
そして、認証用アクチュエータ１２が変調された光のみを発する場合、端末装置３は、図６に示す構成から録音部３２を削除した構成からなる。そして、端末装置３の認証部３３は、撮影部３１から受けた画像データが参照用画像データに一致するとき、容器１が真性の容器であると認証し、撮影部３１から受けた画像データが参照用画像データに一致しないとき、容器１が真性の容器であると認証しない。
【００８３】
また、認証用アクチュエータ１２が変調された音波のみを発する場合、端末装置３は、図６に示す構成から撮影部３１を削除した構成からなる。そして、端末装置３の認証部３３は、録音部３２から受けた音声データが参照用音声データに一致するとき、容器１が真性の容器であると認証し、撮影部３１から受けた音声データが参照用音声データに一致しないとき、容器１が真性の容器であると認証しない。
【００８４】
更に、認証用アクチュエータ１２が変調された光および／または変調された音波を発する場合、端末装置３は、図６に示す構成からなり、端末装置３の認証部３３は、上述した方法によって、容器１が真性の容器であるか否かを認証する。
【００８５】
また、容器１の制御部１２２は、電流検出器１２４から受けた電流が零よりも大きいとき、容器１が給電装置２から電力を受けたと判定し、容器１が２次元通信シート２１上に置かれたときに容器１の受電装置１１が電力を受けるので、図７のステップＳ２は、容器１が２次元通信シート２１上に置かれたか否かを判定することに相当する。
【００８６】
また、上記においては、給電装置２は、２次元通信シート２１を用いて容器１に電力を供給すると説明したが、実施の形態１においては、これに限らず、給電装置２は、２次元通信シート２１以外の方法によって容器１に電力を供給してもよく、一般的には、容器１に電力を供給できる方法であれば、どのような方法によって容器１に電力を供給してもよい。
【００８７】
[実施の形態２]
図８は、実施の形態２による認証システムの概略図である。図８を参照して、実施の形態２による認証システム１０Ａは、図１に示す認証システム１０の端末装置３を端末装置３Ａに代え、ネットワーク５０およびサーバ６０を追加したものであり、その他は、認証システム１０と同じである。
【００８８】
端末装置３Ａは、容器１の認証用アクチュエータ１２が発した容器１の識別情報に基づいて変調された光を撮影するとともに、認証用アクチュエータ１２が発した容器１の識別情報に基づいて変調された音波を録音する。そして、端末装置３Ａは、その撮影した画像データと、その録音した音声データとをネットワーク５０を介してサーバ６０へ送信する。
【００８９】
また、端末装置３Ａは、後述する認証通知をネットワーク５０を介してサーバ６０から受信し、その受信した認証通知を表示する。これによって、端末装置３Ａのユーザは、容器１が真性の容器であることを知ることができる。
【００９０】
サーバ６０は、クラウド上に配置され、ネットワーク５０に接続される。サーバ６０は、上述した参照用画像データおよび参照用音声データを予め保持している。そして、サーバ６０は、ネットワーク５０を介して画像データおよび音声データを端末装置３Ａから受信する。そうすると、サーバ６０は、画像データが参照用画像データに一致し、かつ、音声データが参照用音声データに一致すると判定したとき、容器１が真性の容器であると認証する。
【００９１】
一方、サーバ６０は、画像データが参照用画像データに一致すること、および音声データが参照用音声データに一致することの少なくとも一方が成り立たないとき、容器１が真性の容器であると認証しない。
【００９２】
サーバ６０は、容器１が真性の容器であると認証したとき、容器１が真性の容器であることを示す認証通知を生成し、その生成した認証通知をネットワーク５０を介して端末装置３Ａへ送信する。
【００９３】
図９は、図８に示す端末装置３Ａの概略図である。図９を参照して、端末装置３Ａは、図６に示す端末装置３の認証部３３を削除し、アンテナ３５および送受信部３６を追加したものであり、その他は、端末装置３と同じである。
【００９４】
端末装置３Ａにおいては、撮影部３１は、撮影した画像データを送受信部３６へ出力し、録音部３２は、録音した音声データを送受信部３６へ出力する。
【００９５】
送受信部３６は、画像データを撮影部３１から受け、音声データを録音部３２から受ける。そして、送受信部３６は、画像データおよび音声データを含む認証用データを生成し、その生成した認証用データをアンテナ３５およびネットワーク５０を介してサーバ６０へ送信する。
【００９６】
また、送受信部３６は、ネットワーク５０およびアンテナ３５を介して認証通知をサーバ６０から受信し、その受信した認証通知を表示部３４へ出力する。
【００９７】
図１０は、図８に示すサーバ６０の概略図である。図１０を参照して、サーバ６０は、送受信部６１と、認証部６２とを含む。
【００９８】
送受信部６１は、ネットワーク５０を介して認証用データ（画像データおよび音声データ）を受信し、その受信した認証用データを認証部６２へ出力する。
【００９９】
また、送受信部６１は、認証通知を認証部６２から受け、その受けた認証通知をネットワーク５０を介して端末装置３Ａへ送信する。
【０１００】
認証部６２は、参照用画像データおよび参照用音声データを予め保持している。認証部６２は、認証用データ（画像データおよび音声データ）を送受信部６１から受ける。
【０１０１】
そうすると、認証部６２は、画像データが参照用画像データに一致し、かつ、音声データが参照用音声データに一致すると判定したとき、容器１が真性の容器であると認証する。
【０１０２】
一方、認証部６２は、画像データが参照用画像データに一致すること、および音声データが参照用音声データに一致することの少なくとも一方が成り立たないとき、容器１が真性の容器であると認証しない。
【０１０３】
認証部６２は、容器１が真性の容器であると認証したとき、容器１が真性の容器であることを示す認証通知を生成し、その生成した認証通知を送受信部６１へ出力する。
【０１０４】
図１１は、図８に示す認証システム１０Ａの動作を説明するためのフローチャートである。
【０１０５】
図１１に示すフローチャートは、図７に示すフローチャートにステップＳ１１〜Ｓ１２，Ｓ１４，Ｓ１５を追加し、ステップＳ８をステップＳ１３に代えたものであり、その他は、図７に示すフローチャートと同じである。
【０１０６】
図１１を参照して、認証システム１０Ａの動作が開始されると、給電装置２は、上述したステップＳ１を実行し、容器１の認証用アクチュエータ１２は、上述したステップＳ２，Ｓ３を順次実行する。
【０１０７】
そして、ステップＳ３の後、端末装置３Ａは、上述したステップＳ４を実行し、端末装置３Ａの送受信部３６は、画像データおよび音声データを含む証明用データをアンテナ３５およびネットワーク５０を介してサーバ６０へ送信する（ステップＳ１１）。
【０１０８】
サーバ６０の送受信部６１は、ネットワーク５０を介して認証用データを受信し（ステップＳ１２）、その受信した認証用データを認証部６２へ出力する。
【０１０９】
認証部６２は、認証用データを送受信部６１から受けると、上述したステップＳ５〜Ｓ７，Ｓ９を順次実行する。ステップＳ７の後、認証部６２は、認証通知を生成し、その生成した認証通知を送受信部６１へ出力する。
【０１１０】
送受信部６１は、認証通知を認証部６２から受け、その受けた認証通知をネットワーク５０を介して端末装置３Ａへ送信する（ステップＳ１３）。
【０１１１】
端末装置３Ａの送受信部３６は、アンテナ３５を介して認証通知を受信し（ステップＳ１４）、その受信した認証通知を表示部３４へ出力する。
【０１１２】
表示部３４は、認証通知を送受信部３６から受け、その受けた認証通知を表示する（ステップＳ１５）。
【０１１３】
そして、ステップＳ２において、容器１が給電装置２から電力を受けていないと判定されたとき、またはステップＳ９の後、またはステップＳ１５の後、認証システム１０Ａの動作が終了する。
【０１１４】
このように、容器１の認証用アクチュエータ１２は、給電装置２から電力を受けたとき、変調された光および変調された音波を発し（ステップＳ２，Ｓ３参照）、端末装置３Ａは、変調された光を撮影し、変調された音波を録音し（ステップＳ４参照）、その撮影した画像データおよび録音した音声データをサーバ６０へ送信し（ステップＳ１１参照）、サーバ６０は、画像データおよび音声データを受信し（ステップＳ１２参照）、その受信した画像データおよび音声データそれぞれ参照用画像データおよび参照用音声データに一致するとき、容器１が真性の容器であると認証する（ステップＳ５〜Ｓ７参照）。
【０１１５】
従って、クラウドサーバを用いて、所望のタイミングでのみ、容器１の真贋判定を行うことができる。その結果、端末装置３Ａは、参照用画像データおよび参照用音声データを保持する必要が無く、端末装置３Ａのユーザは、特別のアプリケーションを用いなくても、容器１の真贋判定の結果を知ることができる。
【０１１６】
実施の形態２におけるその他の説明は、実施の形態１における説明と同じである。
【０１１７】
[実施の形態３]
図１２は、実施の形態３による認証システムの概略図である。図１２を参照して、実施の形態３による認証システム１０Ｂは、図８に示す認証システム１０Ａの容器１を物品１Ａに代え、端末装置３Ａを端末装置３Ｂに代え、サーバ６０をサーバ６０Ａに代え、端末装置４を追加したものであり、その他は、認証システム１０Ａと同じである。
【０１１８】
物品１Ａは、本体部と、図２に示す受電装置１１と、発光素子１２１と、認証用アクチュエータ１２に代わる認証用アクチュエータ１２Ａとを備える。そして、物品１Ａは、給電装置２の２次元通信シート２１上に配置される。
【０１１９】
物品１Ａの本体部は、例えば、玩具からなり、より具体的には、ミッキーマウスの人形またはミニーの人形からなる。
【０１２０】
端末装置４は、物品１Ａの所有者の端末装置である。端末装置４は、物品１Ａの識別情報ＩＤ＿ＢＸを予め保持しており、物品１Ａの識別情報ＩＤ＿ＢＸをサーバ６０Ａへ登録する。
【０１２１】
認証用アクチュエータ１２Ａは、物品１Ａの識別情報ＩＤ＿ＢＸを予め保持している。そして、認証用アクチュエータ１２Ａは、受電装置１１が電力を受電すると、物品１Ａの識別情報ＩＤ＿ＢＸを含むビーコンを、例えば、Ｂｌｕｅｔｏｏｔｈ（登録商標）によって送信する。認証用アクチュエータ１２Ａは、その他、認証用アクチュエータ１２と同じ機能を果たす。
【０１２２】
端末装置３Ｂは、認証用アクチュエータ１２Ａが送信したビーコンを受信し、その受信したビーコンに含まれる物品１Ａの識別情報ＩＤ＿ＢＸを検出する。そして、端末装置３Ｂは、その検出した物品１Ａの識別情報ＩＤ＿ＢＸをネットワーク５０を介してサーバ６０Ａへ送信する。また、端末装置３Ｂは、ネットワーク５０を介してサーバ６０Ａから拡張現実の動作内容を受信し、その受信した拡張現実の動作内容を実行する。端末装置３Ｂは、その他、端末装置３Ａと同じ機能を果たす。
【０１２３】
サーバ６０Ａは、端末装置４からネットワーク５０を介して物品１Ａの識別情報ＩＤ＿ＢＸを受信し、その受信した物品１Ａの識別情報ＩＤ＿ＢＸを登録する。この登録された物品１Ａの識別情報ＩＤ＿ＢＸを識別情報ＩＤ＿ＲＧＳとする。
【０１２４】
サーバ６０Ａは、ネットワーク５０を介して端末装置３Ｂから物品１Ａの識別情報ＩＤ＿ＢＸを受信する。そして、サーバ６０Ａは、その受信した物品１Ａの識別情報ＩＤ＿ＲＶＥ（＝受信された識別情報ＩＤ＿ＢＸ）が登録した物品１Ａの識別情報ＩＤ＿ＲＧＳに一致するか否かを判定する。
【０１２５】
物品１Ａの識別情報ＩＤ＿ＲＶＥが物品１Ａの識別情報ＩＤ＿ＲＧＳに一致するとき、サーバ６０Ａは、物品１Ａが真性の物品であると認証し、拡張現実の動作内容を生成して端末装置３Ｂへ送信する。
【０１２６】
一方、物品１Ａの識別情報ＩＤ＿ＲＶＥが物品１Ａの識別情報ＩＤ＿ＲＧＳに一致しないとき、サーバ６０Ａは、物品１Ａが真性の物品であると認証しない。
【０１２７】
図１３は、図１２に示す物品１Ａに含まれる認証用アクチュエータ１２Ａの概略図である。図１３を参照して、認証用アクチュエータ１２Ａは、図３に示す認証用アクチュエータ１２の制御部１２２を制御部１２２Ａに代え、ビーコン送信部１２８およびアンテナ１３０を追加したものであり、その他は、認証用アクチュエータ１２と同じである。
【０１２８】
制御部１２２Ａは、認証用アクチュエータ１２Ａが受電装置１１から電力を受けていると判定したとき、変調された光、変調された音波、および物品１Ａの識別情報ＩＤ＿ＢＸを含むビーコンのいずれを発するかを決定する。制御部１２２Ａは、認証用アクチュエータ１２Ａが受電装置１１から電力を受けていると判定したとき、物品１Ａの識別情報ＩＤ＿ＢＸを記憶部１２３から読み出してビーコン送信部１２８および送信部１２９へ出力する。
【０１２９】
制御部１２２Ａは、その他、制御部１２２と同じ機能を果たす。
【０１３０】
ビーコン送信部１２８は、制御部１２２Ａから物品１Ａの識別情報ＩＤ＿ＢＸを受けると、その受けた物品１Ａの識別情報ＩＤ＿ＢＸを含むビーコンを生成し、その生成したビーコンをＢｌｕｅｔｏｏｔｈ（登録商標）によって送信する。
【０１３１】
図１４は、図１２に示す端末装置３Ｂの概略図である。図１４を参照して、端末装置３Ｂは、図９に示す端末装置３Ａの送受信部３６を送受信部３６Ａに代え、制御部３７を追加したものであり、その他は、端末装置３Ａと同じである。
【０１３２】
送受信部３６Ａは、認証用アクチュエータ１２Ａから送信されたビーコンをアンテナ３５を介して受信し、その受信したビーコンを制御部３７へ出力する。
【０１３３】
送受信部３６Ａは、拡張現実の動作内容をアンテナ３５を介してサーバ６０Ａから受信し、その受信した拡張現実の動作内容を制御部３７へ出力する。
【０１３４】
送受信部３６Ａは、端末装置３Ｂのユーザの識別情報ＩＤ＿ＵＳと、物品１Ａの識別情報ＩＤ＿ＢＸとを含む拡張現実の動作記述要求を制御部３７から受け、その受けた拡張現実の動作記述要求をアンテナ３５を介してサーバ６０Ａへ送信する。
【０１３５】
送受信部３６Ａは、アンテナ３５を介して拡張現実の動作内容をサーバ６０Ａから受信し、その受信した拡張現実の動作内容を制御部３７へ送信する。
【０１３６】
送受信部３６Ａは、その他、送受信部３６と同じ機能を果たす。
【０１３７】
制御部３７は、端末装置３Ｂのユーザの識別情報ＩＤ＿ＵＳを予め保持している。制御部３７は、送受信部３６Ａからビーコンを受け、その受けたビーコンに含まれる物品１Ａの識別情報ＩＤ＿ＢＸを検出する。そして、制御部３７は、ユーザの識別情報ＩＤ＿ＵＳと、物品１Ａの識別情報ＩＤ＿ＢＸとを含む拡張現実の動作記述要求を生成し、その生成した拡張現実の動作記述要求を送受信部３６Ａへ出力する。
【０１３８】
制御部３７は、拡張現実の動作内容を送受信部３６Ａから受け、その受けた拡張現実の動作内容を後述するように実行する。
【０１３９】
図１５は、図１２に示すサーバ６０Ａの概略図である。図１５を参照して、サーバ６０Ａは、図１０に示すサーバ６０の送受信部６１を送受信部６１Ａに代え、認証部６２を認証部６２Ａに代え、記憶部６３および生成部６４を追加したものであり、その他は、サーバ６０と同じである。
【０１４０】
送受信部６１Ａは、ネットワーク５０を介して物品１Ａの識別情報ＩＤ＿ＢＸを端末装置４から受信し、その受信した物品１Ａの識別情報ＩＤ＿ＢＸを認証部６２Ａへ出力する。
【０１４１】
送受信部６１Ａは、ネットワーク５０を介して拡張現実の動作記述要求を端末装置３Ｂから受信し、その受信した拡張現実の動作記述要求を認証部６２Ａへ出力する。
【０１４２】
送受信部６１Ａは、拡張現実の動作内容を生成部６４から受け、その受けた拡張現実の動作内容をネットワーク５０を介して端末装置３Ｂへ送信する。
【０１４３】
送受信部６１Ａは、その他、送受信部６１と同じ機能を果たす。
【０１４４】
認証部６２Ａは、物品１Ａの識別情報ＩＤ＿ＢＸを送受信部６１Ａから受け、その受けた物品１Ａの識別情報ＩＤ＿ＢＸを記憶部６３に記憶することによって物品１Ａの識別情報ＩＤ＿ＢＸを登録する。
【０１４５】
認証部６２Ａは、拡張現実の動作記述要求を送受信部６１Ａから受け、その受けた拡張現実の動作記述要求から物品１Ａの識別情報ＩＤ＿ＢＸとユーザの識別情報ＩＤ＿ＵＳとを検出する。そして、認証部６２Ａは、その検出した物品１Ａの識別情報ＩＤ＿ＢＸ（＝ＩＤ＿ＲＶＥ）が記憶部６３に記憶した物品１Ａの識別情報ＩＤ＿ＢＸ（＝ＩＤ＿ＲＧＳ）に一致するか否かを判定する。
【０１４６】
認証部６２Ａは、物品１Ａの識別情報ＩＤ＿ＢＸ（＝ＩＤ＿ＲＶＥ）が物品１Ａの識別情報ＩＤ＿ＢＸ（＝ＩＤ＿ＲＧＳ）に一致すると判定したとき、物品１Ａが真性の物品であると認証し、拡張現実の動作内容の生成を要求する要求信号ＩＱＲＹを生成して生成部３７へ出力する。
【０１４７】
認証部６２Ａは、その他、認証部６２と同じ機能を果たす。
【０１４８】
生成部３７は、要求信号ＩＱＲＹを認証部６２Ａから受け、その受けた要求信号ＩＱＲＹに応じて拡張現実の動作内容を生成する。そして、生成部３７は、その生成した拡張現実の動作内容を送受信部６１Ａへ出力する。
【０１４９】
図１６は、所有者ＩＤと物品ＩＤとの関係を示す図である。図１６を参照して、テーブルＴＢＬ１は、所有者ＩＤと物品ＩＤとを含む。所有者ＩＤおよび物品ＩＤは、相互に対応付けられる。
【０１５０】
所有者ＩＤは、例えば、”ｐａｐａ”，”ｍａｍａ”，・・・等からなり、物品ＩＤは、例えば、”１２３４５”，”３３３３３”，・・・等からなる。”１２３４５”の物品ＩＤは、”ｐａｐａ”の所有者ＩＤに対応付けられ、”３３３３３”の物品ＩＤは、”ｍａｍａ”の所有者ＩＤに対応付けられる。”１２３４５”の物品ＩＤは、例えば、ミッキーマウスの人形を表し、”３３３３３”の物品ＩＤは、例えば、ミニーの人形を表す。
【０１５１】
図１７は、物品ＩＤと、所有者ＩＤと、受信ＩＤと、拡張現実の動作内容との関係を示す図である。
【０１５２】
図１７を参照して、テーブルＴＢＬ−２は、物品ＩＤと、所有者ＩＤと、受信ＩＤと、拡張現実の動作内容とを含む。物品ＩＤ、所有者ＩＤ、受信ＩＤおよび拡張現実の動作内容は、相互に対応付けられる。
【０１５３】
物品ＩＤは、物品１Ａ等の識別情報であり、所有者ＩＤは、物品１Ａの所有者の識別情報であり、受信ＩＤは、端末装置３Ｂから受信した端末装置３Ｂのユーザの識別情報であり、拡張現実の動作内容は、拡張現実の内容を示す。
【０１５４】
図１７に示すように、”ｐａｐａ”の所有者ＩＤ、“ｉｃｈｉｒｏ”の受信ＩＤおよび“メッセージ表示”の拡張現実の動作内容は、”１２３４５”の物品ＩＤに対応付けられる。
【０１５５】
また、”ｐａｐａ”の所有者ＩＤ、“ｈａｎａ”の受信ＩＤおよび“音声再生”の拡張現実の動作内容は、”１２３４５”の物品ＩＤに対応付けられる。
【０１５６】
更に、”ｍａｍａ”の所有者ＩＤ、“ｉｃｈｉｒｏ”の受信ＩＤおよび“イメージ表示”の拡張現実の動作内容は、”３３３３３”の物品ＩＤに対応付けられる。
【０１５７】
更に、” ｍａｍａ”の所有者ＩＤ、“ｈａｎａ”の受信ＩＤおよび“アニメーション再生”の拡張現実の動作内容は、”３３３３３”の物品ＩＤに対応付けられる。
【０１５８】
図１８は、ユーザＩＤと、ユーザパスワードとの関係を示す図である。図１８を参照して、テーブルＴＢＬ−３は、ユーザＩＤとユーザパスワードとを含む。ユーザＩＤおよびユーザパスワードは、相互に対応付けられる。
【０１５９】
サーバ６０Ａの記憶部６３は、テーブルＴＢＬ−１，ＴＢＬ−２，ＴＢＬ−３を記憶する。
【０１６０】
図１９は、図１２に示す認証システム１０Ｂの動作を説明するためのフローチャートである。なお、図１９においては、図７に示すステップＳ１，Ｓ２が順次実行され、物品１Ａの認証用アクチュエータ１２Ａが給電装置２から電力を受けたと判定したことを前提として認証システム１０Ｂの動作を説明する。
【０１６１】
図１９を参照して、認証システム１０Ｂの動作が開始されると、物品１Ａの認証用アクチュエータ１２Ａは、物品１Ａの識別情報ＩＤ＿ＢＸを含むビーコンを送信する（ステップＳ２１）。
【０１６２】
そして、物品１Ａの所有者の端末装置４は、アプリケーションを起動し、ビーコンを受信する（ステップＳ２２）。そして、端末装置４は、ビーコンから物品１Ａの識別情報ＩＤ＿ＢＸを検出し、その検出した物品１Ａの識別情報ＩＤ＿ＢＸと、所有者ＩＤとをサーバ６０Ａへ送信する（ステップＳ２３）。
【０１６３】
サーバ６０Ａの送受信部６１Ａは、物品１Ａの識別情報ＩＤ＿ＢＸと、所有者ＩＤとを受信し（ステップＳ２４）、その受信した物品１Ａの識別情報ＩＤ＿ＢＸと、所有者ＩＤとを認証部６２Ａへ出力し、認証部６２Ａは、物品１Ａの識別情報ＩＤ＿ＢＸと、所有者ＩＤとを相互に対応付けて記憶部６３に記憶されたテーブルＴＢＬ−１に格納する。これによって、物品１Ａの識別情報ＩＤ＿ＢＸおよび所有者ＩＤは、サーバ６０Ａに登録される（ステップＳ２５）。
【０１６４】
その後、端末装置４は、ユーザＩＤ、ユーザパスワード、物品１Ａの識別情報ＩＤ＿ＢＸおよび拡張現実の動作内容をサーバ６０Ａへ送信する（ステップＳ２６）。
【０１６５】
サーバ６０Ａの送受信部６１Ａは、ユーザＩＤ、ユーザパスワード、物品１Ａの識別情報ＩＤ＿ＢＸおよび拡張現実の動作内容を受信し（ステップＳ２７）、その受信したユーザＩＤ、ユーザパスワード、物品１Ａの識別情報ＩＤ＿ＢＸおよび拡張現実の動作内容を認証部６２Ａへ出力し、認証部６２Ａは、ユーザＩＤ、ユーザパスワード、物品１Ａの識別情報ＩＤ＿ＢＸおよび拡張現実の動作内容を受け、ユーザＩＤおよびユーザパスワードを相互に対応付けて記憶部６３に記憶されたテーブルＴＢＬ−３に格納し、物品１Ａの識別情報ＩＤ＿ＢＸ、所有者ＩＤ、受信ＩＤ（＝受信されたユーザＩＤ）および拡張現実の動作内容を相互に対応付けて記憶部６３に記憶されたテーブルＴＢＬ−２に格納する。これによって、物品１Ａの識別情報ＩＤ＿ＢＸ、所有者ＩＤ、受信ＩＤ（＝受信されたユーザＩＤ）および拡張現実の動作内容は、登録される（ステップＳ２８）。
【０１６６】
その後、ユーザの端末装置３Ｂは、アプリケーションを起動し、ユーザＩＤおよびユーザパスワードをサーバ６０Ａへ送信し（ステップＳ２９）、サーバ６０Ａの送受信部６１Ａは、ユーザＩＤおよびユーザパスワードを受信し、その受信したユーザＩＤおよびユーザパスワードを認証部６２Ａへ出力し、認証部６２Ａは、ユーザＩＤおよびユーザパスワードに基づいて、端末装置３Ｂのユーザを認証する（ステップＳ３０）。
【０１６７】
そして、端末装置３Ｂの送受信部３６Ａは、物品１Ａの認証用アクチュエータからビーコン（物品１Ａの識別情報ＩＤ＿ＢＸを含む）を受信し（ステップＳ３１）、その受信したビーコンを制御部３７へ出力する。
【０１６８】
端末装置３Ｂの制御部３７は、送受信部３６Ａからビーコンを受け、その受けたビーコンから物品１Ａの識別情報ＩＤ＿ＢＸを検出する。そして、端末装置３Ｂの制御部３７は、ユーザＩＤ、ユーザパスワードおよび物品１Ａの識別情報ＩＤ＿ＢＸを含む拡張現実の動作記述要求を生成し、その生成した拡張現実の動作記述要求を送受信部３６Ａへ出力し、送受信部３６Ａは、拡張現実の動作記述要求をサーバ６０Ａへ送信する（ステップＳ３２）。
【０１６９】
サーバ６０Ａの送受信部６１Ａは、拡張現実の動作記述要求を受信し、その受信した拡張現実の動作記述要求を認証部６２Ａへ出力する。サーバ６０Ａの認証部６２Ａは、送受信部６１Ａから拡張現実の動作記述要求を受け、その受けた拡張現実の動作記述要求からユーザＩＤ、ユーザパスワードおよび物品１Ａの識別情報ＩＤ＿ＢＸを検出する。そして、サーバ６０Ａの認証部６２Ａは、記憶部６３に記憶されたテーブルＴＢＬ−３を参照して、その検出したユーザＩＤおよびユーザパスワードがそれぞれテーブルＴＢＬ−３に記憶されたユーザＩＤおよびユーザパスワードに一致することを確認することによって端末装置３Ｂのユーザを認証する。サーバ６０Ａの認証部６２Ａは、端末装置３Ｂのユーザを認証すると、記憶部６３に記憶されたテーブルＴＢＬ−２を参照して、その検出したユーザＩＤに一致する受信ＩＤに対応付けられた物品ＩＤ（＝識別情報ＩＤ＿ＲＧＳ）と、物品１Ａの識別情報ＩＤ＿ＢＸ（＝ＩＤ＿ＲＶＥ）とが一致すると判定すると、物品１Ａが真性の物品であると認証し、拡張現実の動作内容の生成を要求する要求信号ＩＱＲＹと、その検出したユーザＩＤおよび物品１Ａの識別情報ＩＤ＿ＢＸとを生成部６４へ出力する。
【０１７０】
サーバ６０Ａの生成部６４は、要求信号ＩＱＲＹ、ユーザＩＤおよび物品１Ａの識別情報ＩＤ＿ＢＸを認証部６２Ａから受け、その受けた要求信号ＩＱＲＹに応じて、記憶部６３に記憶されたテーブルＴＢＬ−２を参照して、ユーザＩＤ（＝受信ＩＤ）および物品１Ａの識別情報ＩＤ＿ＢＸに対応する拡張現実の動作内容を検出し、その検出した拡張現実の動作内容を送受信部６１Ａへ出力する。そして、サーバ６０Ａの送受信部６１Ａは、生成部６４から受けた拡張現実の動作内容を端末装置３Ｂへ送信する（ステップＳ３３）。
【０１７１】
端末装置３Ｂの送受信部３６Ａは、アンテナ３５を介して拡張現実の動作内容を受信し、その受信した拡張現実の動作内容を制御部３７へ出力する。そして、端末装置３Ｂの制御部３７は、送受信部３６Ａから受けた拡張現実の動作内容に基づいて、拡張現実の動作を実行する（ステップＳ３４）。より具体的には、端末装置３Ｂの制御部３７は、拡張現実の動作内容がメッセージの表示であれば、拡張現実の動作内容に含まれるメッセージを表示部３４に表示する。拡張現実の動作内容がメッセージの表示以外である場合も、端末装置３Ｂの制御部３７は、同様にして、拡張現実の動作を実行する。
【０１７２】
そして、ステップＳ３４の後、認証システム１０Ｂの動作が終了する。
【０１７３】
認証システム１０Ｂによれば、親が子供の誕生日にミッキーマウス等の人形をプレゼントし、子供の端末装置３Ｂは、ミッキーマウス等の人形に含まれる認証用アクチュエータ１２Ａから送信されたビーコンを受信し、その受信したビーコンに含まれる物品１Ａの識別情報ＩＤ＿ＢＸをサーバ６０Ａへ送信することによって、拡張現実によって、メッセージの表示、音声再生（お祝いの音声の再生）、およびアニメーション再生等を実行する。これによって、子供は、ミッキーマウス等の人形の他に、お祝いの言葉等をプレゼントとして更に貰うことができる。
【０１７４】
実施の形態３においては、変調された光および変調された音波の少なくとも１つによって物品１Ａの識別情報ＩＤ＿ＢＸを表してもよく、一般的には、変調された光、変調された音波および文字列の少なくとも１つによって物品１Ａの識別情報ＩＤ＿ＢＸを表してもよい。
【０１７５】
実施の形態３におけるその他の説明は、実施の形態１，２の説明と同じである。
【０１７６】
この発明の実施の形態においては、認証用データは、容器１または物品１Ａの識別情報に基づいて変調された光を撮影した画像データ、容器１または物品１Ａの識別情報に基づいて変調された音波を録音した音声データ、およびビーコンに含まれる容器１または物品１Ａの識別情報の少なくとも１つを含む。そして、認証用データを受信する送受信部６１，６１Ａは、「受信手段」を構成し、認証用データに基づいて容器１または物品１Ａの真贋判定を行う認証部６２，６２Ａは、「認証手段」を構成する。そして、送受信部６１，６１Ａおよび認証部６２，６２Ａを備えるサーバ６０は、「認証装置」を構成する。
【０１７７】
また、この発明の実施の形態においては、端末装置３，３Ａ，３Ｂの撮影部３１および録音部３２は、容器１の認証用アクチュエータ１２が発した変調された光／または変調された音波を撮影および／または録音した認証用データを取得する「取得手段」を構成し、認証部３３は、認証用データに基づいて容器１の真贋判定を行う「認証手段」を構成する。
【０１７８】
更に、この発明の実施の形態においては、容器１および物品１Ａは、「雑貨物品」を構成する。そして、この発明の実施の形態による雑貨物品は、上述した容器１および物品１Ａに限らず、雑貨であれば、どのようなものであってもよい。
【０１７９】
今回開示された実施の形態はすべての点で例示であって制限的なものではないと考えられるべきである。本発明の範囲は、上記した実施の形態の説明ではなくて特許請求の範囲によって示され、特許請求の範囲と均等の意味および範囲内でのすべての変更が含まれることが意図される。
【産業上の利用可能性】
【０１８０】
この発明は、雑貨物品、端末装置、認証装置、およびその雑貨物品を備える認証システムに適用される。
【符号の説明】
【０１８１】
１  容器、１Ａ  物品、２  給電装置、３，３Ａ，３Ｂ，４  端末装置、１０，１０Ａ，１０Ｂ  認証システム、１１  受電装置、１２，１２Ａ  認証用アクチュエータ、１３  収容部、３１  撮影部、３２  録音部、３３，６２、６２Ａ  認証部、３４  表示部、３５，１３０  アンテナ、３６，３６Ａ，６１，６１Ａ  送受信部、３７，１２２，１２２Ａ  制御部５０  ネットワーク、６０，６０Ａ  サーバ、６３  記憶部、６４  生成部、１２１  発光素子、１２３  記憶部、１２４  電流検出部、１２５  蓄電部、１２６  再生部、１２７  スピーカ、１２８  ビーコン送信部、２１１  誘電体層、２１２，２１３  導体、２１２Ａ  開口部。
【図１】
2018181028.tif 000003
【図２】
2018181028.tif 000004
【図３】
2018181028.tif 000005
【図４】
2018181028.tif 000006
【図５】
2018181028.tif 000007
【図６】
2018181028.tif 000008
【図７】
2018181028.tif 000009
【図８】
2018181028.tif 000010
【図９】
2018181028.tif 000011
【図１０】
2018181028.tif 000012
【図１１】
2018181028.tif 000013
【図１２】
2018181028.tif 000014
【図１３】
2018181028.tif 000015
【図１４】
2018181028.tif 000016
【図１５】
2018181028.tif 000017
【図１６】
2018181028.tif 000018
【図１７】
2018181028.tif 000019
【図１８】
2018181028.tif 000020
【図１９】
2018181028.tif 000021